(57)【要約】      （修正有）【課題】破損しやすい収納物でも安定して箱に収納することができ、輸送・搬送中に箱に衝撃が与えられたり転倒しても収納物が破損しにくく、収納物の梱包・出し入れが容易で、低コストで製造可能な輸送用箱体を提供する。【解決手段】本輸送用箱体は、収納物と、収納物に取り付けられた土台部材と、土台部材を収納する外箱と、外箱内で土台部材を係止する係止部とからなり、係止部は、外箱側壁に設けられた一対の貫通穴と、一対の貫通穴を挿通する固定部材を有していることを特徴とする。また、土台部材は、収納物を積載する平坦な積載面を有し、土台部材に積載した収納物を固定保持する収納物固定部を有しても良い。また、収納物及び土台部材を包んだ被覆部材を備えていても良い。【選択図】図１
0003152936.tif 000002
【実用新案登録請求の範囲】
【請求項１】
収納物と、該収納物に取り付けられた土台部材と、該土台部材を収納する外箱と、該外箱内で該土台部材を係止する係止部とからなり、前記係止部は、前記外箱側壁に設けられた一対の貫通穴と、該一対の貫通穴を挿通する固定部材を有していることを特徴とする輸送用箱体。
【請求項２】
前記土台部材は、前記収納物を積載する平坦な積載面を有し、該土台部材に積載した収納物を固定保持する収納物固定部を有することを特徴とする請求項１に記載の輸送用箱体。
【請求項３】
前記外箱は、略筒状の側壁と、該側壁の一方の開口部を塞ぐ平坦な底面とを備え、前記積載面は該底面と同一又は類似形状であることを特徴とする請求項１又は２に記載の輸送用箱体。
【請求項４】
前記係止部を複数設けたことを特徴とする請求項１〜３のいずれかに記載の輸送用箱体。
【請求項５】
前記一対の貫通穴は、前記側壁の角部を挟んで隣り合う側壁面にそれぞれ設けられていることを特徴とする請求項１〜４のいずれかに記載の輸送用箱体。
【請求項６】
前記一対の貫通穴は、前記底面と平行、且つ、前記外箱収納時の前記土台部材の前記積載面以下の高さ位置に設けられていることを特徴とする請求項１〜５のいずれかに記載の輸送用箱体。
【請求項７】
前記係止部は、前記土台部材を前記外箱底部から隔てる隔離部を備えていることを特徴とする請求項１〜６のいずれかに記載の輸送用箱体。
【請求項８】
前記土台部材は、前記積載面を前記外箱底部から隔てる隔離部を備えていることを特徴とする請求項１〜７のいずれかに記載の輸送用箱体。
【請求項９】
前記外箱内における前記収納物の収納位置が、前記側壁の中心軸と同位置であることを特徴とする請求項１〜８のいずれかに記載の輸送用箱体。
【請求項１０】
前記収納物及び前記土台部材を包んだ被覆部材を備えていることを特徴とする請求項１〜９のいずれかに記載の輸送用箱体。
【考案の詳細な説明】
【技術分野】
【０００１】
本考案は、壊れやすい収納物でも安定状態で収納し、収納物が損壊しにくい輸送・搬送用の箱体に関するものである。
【背景技術】
【０００２】
近年、プリザーブドフラワーが非常に人気で、贈答、観賞、イベント、ウェディングブーケ等に使用されるようになり、広く親しまれている。プリザーブドフラワーは、切花の水分を有機溶剤と置換して乾燥させたもので、生花よりも長期保存が可能な点が最大の特徴である。また、花弁を脱色させて任意に着色することもできるため、生花では存在しない色の花を創り出すことができるという点も人気の要因である。
【０００３】
しかし、乾燥させているため、生花よりは花弁のくっつきが弱く、脆いという特徴も有している。また、花弁も生花よりは水気が無いため、壊れやすいという特徴もある。そのため、生花と同じように取り扱って、花弁が取れたり、破損してしまうことも多く、輸送や搬送は非常に注意が必要であった。従来は、実用登録第３１４２７０１号公報に記載されたような、鉢物を固定する補助部材を用いて箱内に収納していた。
【先行技術文献】
【特許文献】
【０００４】
【特許文献１】実用登録第３１４２７０１号公報
【考案の概要】
【考案が解決しようとする課題】
【０００５】
しかし、実用登録第３１４２７０１号公報に記載の補助部材は、鉢物を補助部材に嵌め込んで固定するため、左右の振動には強いが、底側から衝撃が与えられると、鉢物が補助部材から突出してしまうという問題を有していた。また、箱体が転倒した場合も、鉢物が補助部材から飛び出して、箱体内で転倒してしまうという問題があった。
【０００６】
また、鉢物を完全固定する補助部材を使用するとコストがかかってしまうという問題もある。また、その様な補助部材の場合、鉢物を固定する作業や取り外す作業が大変になってしまうという問題も生じてくる。前記したプリザーブドフラワーの場合、鉢物の固定や取り外し作業に手間取ると、花弁に触れる危険性が高くなり、鉢物が損壊してしまうという問題が生じてしまう。
【０００７】
以上のことから、箱内で収納物を安定状態で収納でき、輸送・搬送中に収納物が破損するおそれが無く、箱内から収納物を安全且つ容易に取り出すことができ、収納物の固定作業や取り外し作業が容易で、低コストで製造可能な箱体の開発が望まれていた。
【課題を解決するための手段】
【０００８】
上記問題を解決するため本考案に輸送用箱体は、収納物と、収納物に取り付けられた土台部材と、土台部材を収納する外箱と、外箱内で土台部材を係止する係止部とからなり、係止部は、外箱側壁に設けられた一対の貫通穴と、一対の貫通穴を挿通する固定部材を有していることを特徴とする。
【０００９】
また、土台部材は、収納物を積載する平坦な積載面を有し、土台部材に積載した収納物を固定保持する収納物固定部を有しても良い。また、土台部材は、積載面を外箱底部から隔てる隔離部を備えていても良い。
【００１０】
また、外箱は、略筒状の側壁と、側壁の一方の開口部を塞ぐ平坦な底面とを備え、積載面は底面と同一又は類似形状であっても良い。また、外箱内における収納物の収納位置が、側壁の中心軸と同位置であっても良い。
【００１１】
また、係止部を複数設けても良い。また、係止部は、土台部材を外箱底部から隔てる隔離部を備えていても良い。また、係止部の一対の貫通穴は、側壁の角部を挟んで隣り合う側壁面にそれぞれ設けられていても良い。また、一対の貫通穴は、底面と平行、且つ、外箱収納時の土台部材の積載面以下の高さ位置に設けられていても良い。
【００１２】
また、収納物及び土台部材を包んだ被覆部材を備えていても良い。
【考案の効果】
【００１３】
本考案に係る輸送用箱体は、収納物と、収納物に取り付けられた土台部材と、土台部材を収納する外箱と、外箱内で土台部材を係止する係止部とからなり、係止部は、外箱側壁に設けられた一対の貫通穴と、一対の貫通穴を挿通する固定部材を有しているため、収納物を箱内に係止させる構造が簡単で、収納物の梱包作業及び固定作業が容易になる。更に、係止部の構造が簡単で容易に設置できるため、既存の外箱にも適用でき、箱体のコストを低減させることができる。
【００１４】
また、土台部材は、収納物を積載する平坦な積載面を有し、土台部材に積載した収納物を固定保持する収納物固定部を有しているため、収納物を安定的且つ確実に固定保持して外箱内に収納することができる。
【００１５】
また、外箱は、略筒状の側壁と、側壁の一方の開口部を塞ぐ平坦な底面とを備え、積載面は底面と同一又は類似形状であるため、外箱に収納された土台部材が外箱底面と水平方向に移動しなくなり、収納物を安定的に固定保持することができる。更に、外箱底面と積載面が平行に位置し、輸送中、搬送中の収納物の収納姿勢が安定する。
【００１６】
また、係止部を複数設けているため、土台部材を強固に固定保持することができ、外箱内で土台部材が移動するおそれがなくなる。
【００１７】
また、一対の貫通穴は、側壁の角部を挟んで隣り合う側壁面にそれぞれ設けられているため、一対の貫通穴を挿通した固定部材は、側壁角部から離れて外箱中心側に位置し、土台部材を安定して係止することができる。
【００１８】
また、一対の貫通穴は、底面と平行、且つ、外箱収納時の土台部材の積載面以下の高さ位置に設けられているため、一対の貫通穴を挿通させた固定部材が底面と平行、且つ、外箱収納時の土台部材の積載面以下の高さに位置し、安定して土台部材を係止することができる。
【００１９】
また、係止部は、土台部材を外箱底部から隔てる隔離部を備えているため、外箱底部側から収納物へ伝わる衝撃を緩和させることができ、収納物が破損する危険性が低減する。
【００２０】
また、土台部材は、積載面を外箱底部から隔てる隔離部を備えているため、外箱底部側から収納物へ伝わる衝撃を緩和させることができ、収納物が破損する危険性が低減する。
【００２１】
また、外箱内における収納物の収納位置が、側壁の中心軸と同位置であるため、収納物を収納した箱体のバランスが安定すると共に、収納物が側壁に接触して破損するおそれがなくなり、収納物が破損する危険性が低減する。
【００２２】
また、収納物及び土台部材を包む被覆部材を備えているため、被覆部材を引き上げるだけで収納物及び土台部材を外箱から取り出すことができ、取り出し作業が非常に容易である。更に、外箱から収納物を取り出す時に、収納物のバランスが崩れても被覆部材によって捕獲できるため、収納物の落下を防ぐことができる。更に、収納物を取り出すために外箱に手を入れる必要が無いため、収納物に触れて破損するおそれが無くなる。
【図面の簡単な説明】
【００２３】
【図１】本考案に係る輸送用箱体の一実施の形態を示した説明図である。
【図２】図１に示された箱体の概略図である。
【図３】本考案に係る係止部の係止状態を示した部分分解図である。
【図４】本考案に係る輸送用箱体の一実施の形態を示した説明図である。
【図５】本考案に係る土台部材と収納物を示した説明図である。
【図６】本考案に係る被覆部材の使用状態を示した説明図である。
【考案を実施するための形態】
【００２４】
本考案に係る輸送用箱体２について、図を参照にしながら説明する。図１及び図４は、本考案に係る輸送用箱体２を示した説明図であり、図２は、図１に示された箱体２の概略図である。また、図３は、図１に示された箱体２に設けられた係止部１２の状態を示した図である。なお、図３及び図４は、説明の便宜上、側壁８の一部が分解されている。また、図５は、土台部材１８と収納物２８を示した図であり、図６は、被覆部材２６を使用した状態を示した図である。なお、これらの図は本考案を説明するためだけのものであり、本考案を何ら限定するものではない。
【００２５】
本考案に係る輸送用箱体２は、収納物２８と、収納物２８に取り付けられた土台部材１８と、土台部材１８を収納する外箱４と、外箱４内で土台部材１８を係止する係止部１２とからなることを特徴とする。本考案に係る箱体２に収納・梱包可能な収納物２８は、外箱４に収納できればどの様な物品でも良いが、触れたり衝撃を与えると変形・破損するような物品は、本考案に係る箱体２を使用するのに適している。図５及び図６中では、ポット、バスケット、陶器等の花器に、プリザーブドフラワー、花材、リボン、その他装飾物等を組み合わせたアレンジメントを収納物２８としている。また、収納物２８に土台部材１８を取り付けた時、収納物２８が破損しないような、強度を有する箇所や部位を有していると更に良い。図５及び図６に示された収納物２８は花器が強度を有しているため、花器に土台部材１８が取り付けられている。
【００２６】
次に、本考案に係る外箱４は、少なくとも底面６と側壁８を有していれば良く、その他の形状や構造については特に限定しない。図１及び図２に示された外箱４は、天面に収納物２８取り出し用の開口部が設けられているが、図４に示されたように、外箱４の側面に開口部を設けても良く、開口部の形成位置は、収納物２８の形状や大きさ、収納物２８の取り出し方向等に応じて適宜設定すれば良い。また、図１及び図２では、透明な蓋部材を用いて開口部を塞いでいるが、図４に示されたように、開口部に扉状の蓋部材を設けても良い。なお、図４中の蓋部材は、上下方向に開閉するように設けられているが、左右方向に開閉するように設けられても良い。また、外箱４の一部を切り取って開口部が現れる構造でも良く、開口部の閉鎖方法や構造については適宜設定すれば良い。また、外箱４に開口部を複数設けても良い。また、図１に示された外箱４は直方体状となっているが、台錐状、錐体状、球体状などでも良く、収納物２８を収納出来れば、どの様な形状でも良い。また、図２に示された底面６は正方形であるが、円形、楕円形、多角形でも良いし、不定形でも良く、外箱４の形状や構造、製造容易性等を考慮して適宜設定すれば良い。また、少なくとも外箱４外側の底面６は平坦面であるのが良く、外箱４内側の底面６も平坦面であると更に良い。また、側壁８の形状や、側壁８の設置角度については、収納物２８の形状や大きさ、外箱４の形状等を考慮して適宜設定すれば良い。また、外箱４の材料としては、適度な強度を有し、成形容易な材料が良く、具体例としては、段ボール、紙類、樹脂等が良いが、金属類も使用可能であり、外箱４の重量や製造コスト等も考慮して適宜設定すれば良い。
【００２７】
また、本考案に係る土台部材１８は、収納物２８に取り付け可能で、外箱４内に収納された収納物２８の収納姿勢を保持するための補助的部材を指す。土台部材１８としては、図５に示されたように板状部材でも良いが、箱類、ブロック体でも良い。また、収納物２８に取り付けることができれば、ケース類や容器類なども土台部材１８として使用することができ、収納物２８の形状や大きさ、外箱４の容量等を考慮して適宜設定すれば良い。また、土台部材１８の材料としては、適度な強度を有し、破損しにくいものが良く、具体例としては、段ボール、紙類、樹脂などが良いが、アルミ等の金属類も使用でき、適宜設定すれば良い。また、土台部材１８の形状や大きさについては、収納物２８を安定的に保持固定できればどの様な形状でも良いが、図３に示されたように、外箱４における土台部材１８の収納箇所と同じ形状、大きさであると更に良い。これにより、土台部材１８が底面６と水平方向に移動しなくなり、収納物２８を安定的に固定保持することができる。また、土台部材１８の一部を平坦な面とし、この平坦面を収納物２８積載用の積載面２０としても良い。図５に示された土台部材１８は板状部材であるため、積載面２０以外も平坦面となっているが、土台部材１８の構造や形状によっては、土台部材１８の一部のみ平坦面であっても良い。また、図３及び図５に示された土台部材１８は、積載面２０が底面６と同一形状となっているが、積載面２０の形状については、収納物２８の形状等に応じて適宜設定すれば良い。
【００２８】
また、土台部材１８は、土台部材１８と積載した収納物２８を固定保持する収納物固定部２２を有していても良い。収納物固定部２２としては、収納物２８を破損せずに保持でき、固定保持された収納物２８が移動しなければ、どの様な固定保持方法でも良いし、どの様な部材、手段、装置を用いても良い。図５に示された収納物固定部２２は、板状の土台部材１８に複数の穴を設け、この穴に紐部材を通し、紐部材によって収納物２８と土台部材１８を連結固定している。この固定保持方法は、穴の形成位置や形成数、紐部材の種類や長さ等を任意に設定できるため、どの様な収納物２８にも適用することができる。また、紐部材としてリボンを使用すれば、収納物２８の装飾とすることもできる。収納物固定部２２としては、この他にも、フック等の係止部材や手段、クリップ等の留め具等を用いても良いし、土台部材１８に収納物２８の一部又は全部を嵌め込むための凹部や嵌合部を設けても良いし、これらを組み合わせても良く、収納物２８の形状や構造等を考慮して適宜設定すれば良い。
【００２９】
また、土台部材１８は、積載面２０を外箱４底部から隔てる隔離部２４を備えていても良い。隔離部２４を備えることにより、外箱４底部側から収納物２８へ衝撃が直接伝わることを防ぎ、収納物２８の破損を防ごうとするものである。隔離部２４としては、例えば、土台部材１８に脚部を設けても良いし、箱体を土台部材１８として使用しても良く、積載面２０を外箱４の底部から隔てることができればどの様な手段、部材、形状・構造でも良い。
【００３０】
また、土台部材１８には、土台部材１８及び収納物２８を外箱４内から容易に取り出すための取り出し部が設けられていても良い。図１に示された外箱４は、天面が開口部となっているため、土台部材１８及び収納物２８を取り出すには、外箱４内に手を入れて土台部材１８を持ち上げる必要がある。この時、収納物２８に触れて破損させるおそれがある。そこで、土台部材１８に取り出し部を設け、この取り出し部を持ち上げるだけで土台部材１８及び収納物２８を外箱４内から取り出そうとするものである。取り出し部としては、土台部材１８に紐部材を取り付けても良いし、取っ手部材を設けても良い。また、図６に示されたように、被覆部材２６で土台部材１８及び収納物２８を包み、この被覆部材２６を取り出し部としても良い。例えば、収納物２８に陶器類が使用されていた場合、陶器類が重いと収納物２８の取り出し時にバランスを崩して落下させてしまうことがある。そこで、土台部材１８及び収納物２８を被覆部材２６で包み、収納物２８の落下を防ぐと共に、容易に土台部材１８及び収納物２８を取り出そうとするものである。被覆部材２６としては、適度な薄さ、強度、柔軟性を有する材料が良く、具体的には、セロハン、布類、紙類、レース類、ネット類が良い。
【００３１】
次に、本考案に係る外箱４は、外箱４内で土台部材１８を係止する係止部１２を備え、係止部１２は、外箱４に設けられた一対の貫通穴１４と、一対の貫通穴１４を挿通する固定部材１６を有していることを特徴とする。この係止部１２は、一対の貫通穴１４に固定部材１６を挿通させて貫通穴間に固定部材１６を架け渡し、外箱内に土台部材１８が引っ掛かる部位を形成しようとするものである。図２及び図３に示された係止部１２は、側壁８の角部を挟んで隣り合う側壁８にそれぞれ貫通穴１４が設けられ、貫通穴１４を挿通させた固定部材１６が土台部材１８の角部を係止するようになっている。また、図４に示された係止部１２は、外箱４の底面６に貫通穴１４が設けられ、貫通穴１４を挿通させた固定部材１６が土台部材１８の角部を係止するようになっている。図３及び図４に示されたいずれの係止部１２も、一対の貫通穴１４の距離が近接しているが、例えば、対向する側壁８や、側壁８の対角線上の角部にそれぞれ貫通穴１４を設けても良し、一対の貫通穴１４を外箱４の底面６と側壁８に形成しても良く、貫通穴１４の形成位置については、土台部材１８を係止する位置、土台部材１８の形状や大きさ、外箱４の形状や大きさ、収納物２８の形状等の種々の条件を考慮して適宜設定すれば良い。また、一対の貫通穴１４を外箱４の側壁８に形成する場合は、一対の貫通穴１４が底面６と平行に設けられているのが良く、外箱４に収納時の土台部材１８の積載面２０以下の高さ位置に設けられていると更に良い。これにより、外箱４内の土台部材１８の積載面２０を底面６と平行に保持でき、土台部材１８を確実且つ安定して固定保持することができる。また、側壁８に角部がある場合は、図２及び図３に示されたように、側壁８の角部を挟んで隣り合う側壁８面にそれぞれ貫通穴１４を設けるのが良い。これにより、固定部材１６を一対の貫通穴１４に挿通させた時、固定部材１６が側壁８の角部から離れて土台部材１８の中心側と接するようになり、図３に示されたように、土台部材１８の角部を安定して係止することができる。貫通穴１４の形状や大きさについては、固定部材１６の材料や形状、外箱４の強度等に応じて適宜設定すれば良い。
【００３２】
また、係止部１２は、外箱４に複数設けても良い。図１及び図２に示された外箱４は、対角線上に位置する角部にそれぞれ係止部１２が設けているが、図３に示されたように、全ての角部に係止部１２を設けても良く、土台部材１８がバランス良く係止されるように、外箱４や土台部材１８の形状等に応じて係止部１２の形成数、形成位置や形成間隔等を設定すれば良い。また、係止部１２を複数設けた場合、一対の貫通穴１４に対して一つの固定部材１６を用いても良いが、複数の貫通穴１４を一つの固定部材１６で挿通させても良い。例えば、一本の紐部材を固定部材１６とし、一対の貫通穴１４は紐部材を挿通させ、その他の外箱４の外周面は紐部材を周回させていけば、一本の紐部材で全ての係止部１２を形成することができる。この時、一本のリボンを使用すれば、外箱４の装飾とすることもできる。
【００３３】
係止部１２の固定部材１６としては、一対の貫通穴１４に挿通可能で、土台部材１８を固定保持できるような強度を有すれば、どの様な部材、手段でも良い。図１及び図３に示された固定部材１６は、紐部材を用いているが、この他にも、棒部材、針金、リング部材が使用できる。また、固定部材１６の材料については、特に限定せず適宜設定すれば良いが、ゴム類などの伸縮性を有する材料の場合は、固定部材１６の伸縮によって係止した土台部材１８が移動するおそれがあるため、伸縮性の低いものを使用するのが良い。また、固定部材１６にリボンを使用すれば、土台部材１８を係止すると共に、外箱４の装飾とすることもできる。
【００３４】
また、係止部１２は、土台部材１８を外箱４底部から隔てる隔離部２４を備えていても良い。土台部材１８を外箱４底部から離すことにより、外箱４底部側から収納物２８へ直接衝撃が直接伝わることを防ぎ、収納物２８の破損を防ごうとするものである。この隔離部２４は、土台部材１８を外箱４底部から離して外箱４内に収納できれば、どの様な部材、手段でも良い。図２及び図３中では、外箱４の底面６と土台部材１８との間に箱を設け、この箱を隔離部２４としているが、この他にも、緩衝材、クッション部材等を用いても良い。また、外箱４底部に土台部材１８を支持する突部や支持部を設け、この突部や支持部を隔離部２４としても良いし、外箱４内側に土台部材１８を支持する突部や段部を設け、この突部や支持部を隔離部２４としても良い。
【００３５】
また、外箱４内における収納物２８の収納位置は、外箱４内側壁８の中心軸と同位置であるのが良い。これは、収納物２８を収納した箱体２のバランスを保つと共に、収納物２８を側壁８から離して収納することで側壁８との接触を防ごうとするものでもある。外箱４の容量、収納物２８の形状や大きさによっては、収納物２８を外箱４内側壁８の任意の位置に収納しても良いが、この場合も、収納物２８を収納した箱体２のバランスが保て、収納物２８が側壁８と接触しない位置に収納されるのが好ましい。
【００３６】
また、本考案に係る箱体２は、把持部１０を備えていても良い。この把持部１０は、箱体２を手に持つ、腕に掛ける、肩に掛けることができれば、どの様な形状、構造、形態でも良い。図１に示された把持部１０は、図２に示されたように収納物２８を梱包した後、一対の取っ手部材を外箱４に取り付けている。この他にも、外箱４の一部を取っ手状に形成しても良い。取っ手部材としては、紐部材、ベルト部材、チェーン部材等を、容易に外れないように外箱４に連結固定するのが良い。連結固定方法としては、粘着剤や貼着部材を用いても良いし、連結手段や連結部材を用いても良いし、外箱４に引っ掛けても良く、取っ手部材の形状や構造、外箱４の形状や構造等を考慮して適宜設定すれば良い。なお、手や指が挿入可能な穴を外箱４に形成する把持部１０もあるが、この様な把持部１０は、手や指を挿入した時、または、外箱４の一部を箱内に折り返した時に収納物２８に触れるおそれがあるため、穴の形成位置に注意する必要がある。
【００３７】
以上が本考案に係る輸送用箱体２についての説明であるが、本考案の目的を逸脱しない限り、種々の条件や設定は変更が可能である。
【符号の説明】
【００３８】
２  箱体
４  外箱
６  底面
８  側壁
１０  把持部
１２  係止部
１４  貫通穴
１６  固定部材
１８  土台部材
２０  積載面
２２  収納物固定部
２４  隔離部
２６  被覆部材
２８  収納物
【図１】
0003152936.tif 000003
【図２】
0003152936.tif 000004
【図３】
0003152936.tif 000005
【図４】
0003152936.tif 000006
【図５】
0003152936.tif 000007
【図６】
0003152936.tif 000008